(57)【特許請求の範囲】
【請求項１】
弁当箱（１）を載せる底面部（１０）と、この底面部（１０）に載せた前記弁当箱（１）を包み込む綴じ合せ部（２０）とを有し、前記弁当箱（１）を包み込んだカバー形態からランチョンマット形態に展開することができる弁当箱カバーにおいて、
前記綴じ合せ部（２０）と前記底面部（１０）は、一連のスライドファスナ（３０）によってカバー形態からランチョンマット形態に展開可能となっており、
カバー形態の前記綴じ合せ部（２０）の上側横行縁部（２２）同士を合せた一端部（但し当該一端部は当該綴じ合せ部の折り目側に位置した方の端部とする。）に、前記スライドファスナ（３０）の閉じ切り位置を定め、この位置にあるスライダ（３３）を前記底面部（１０）まで下降させ、更に当該底面部（１０）の周方向に沿って進めることによって、当該綴じ合せ部（２０）を水平に展開可能な状態になることを特徴とする弁当箱カバー。
【請求項２】
前記綴じ合せ部（２０）のうち、前記スライドファスナ（３０）によって前記底面部（１０）との結着相手側になる下側横行縁部（２８）が、カバー形態の重心を前記一端部側へ修正するための凹曲線状に形成されている請求項１に記載の弁当箱カバー。
【請求項３】
複数の弁当箱（１〜３）を縦に重ねて前記底面部（１０）に載せた状態で前記綴じ合せ部（２０）によって包み込むことが可能になっている請求項２に記載の弁当箱カバー。
【請求項４】
前記スライダ（３３）を前記底面部（１０）の周方向に沿って進める部分のテープ（３１）が円弧状に取り付けられている請求項３に記載の弁当箱カバー。
【請求項５】
カバー形態で前記綴じ合せ部（２０）及び前記スライドファスナ（３０）を上方から跨ぐ取っ手（４０）が、１本だけ当該綴じ合せ部（２０）に取り付けられており、
前記取っ手（４０）の両端部（４１，４２）が前記スライドファスナ（３０）に沿った方向に互い違いの位置にあり、
前記閉じ切った位置にあるスライダ（３３）をスライダ引手（３５）の持ち替えなく前記取っ手（４０）の下を潜らすことができる請求項１から４のいずれか１項に記載の弁当箱カバー。
【請求項６】
前記綴じ合せ部（２０）の内面に筒状の箸ホルダー（５１）が取り付けられており、この箸ホルダー（５１）の筒両端が開放されている請求項１から５のいずれか１項に記載の弁当箱カバー。
【請求項７】
前記綴じ合せ部（２０）及び前記底面部（１０）のうち、ランチョンマットに使用する裏地（ｃ）に撥水加工がなされている請求項１から６のいずれか１項に記載の弁当箱カバー。
【発明の詳細な説明】
【技術分野】
【０００１】
この発明は、弁当箱の携帯に利用され、弁当箱を取り出してランチョンマットとしても利用可能な弁当箱カバーに関する。
【背景技術】
【０００２】
従来、弁当箱を包み込んで携帯する弁当箱カバーとして、ランチョンマット（食卓で一人前ずつの食器を乗せるための敷物）に展開できるようにしたものがある。
【０００３】
弁当箱をランチョンマット形態の中央部に載せ、この弁当箱から四方に食み出るように設けられた綴じ合せ部弁当箱を包み込んでカバー形態に変更するようになっている（特許文献１）。
【０００４】
特許文献１の弁当箱カバーは、四方のうち、対向する一対の部分同士を面ファスナで結着し、残り一対の部分同士をスナップで結着し、取っ手をもって携帯することが可能となっている。
【先行技術文献】
【特許文献】
【０００５】
【特許文献１】特開２００６−６８６４号公報（特に要約書、図１〜図５）
【発明の概要】
【発明が解決しようとする課題】
【０００６】
しかしながら、特許文献１のものは、弁当箱カバーの姿をカバー形態又はランチョンマット形態からランチョンマット形態又はカバー形態に変更する際、スナップの結着，解除、面ファスナの結着，解除という複数の動作を要し、スナップ、面ファスナの別々に取り付ける手間を要する点で改良の余地がある。
【０００７】
そこで、この発明が解決しようとする課題は、一種の結着具の単純な動作でカバー形態及びランチョンマット形態間に変更可能な弁当箱カバーにすることである。
【課題を解決するための手段】
【０００８】
上記の課題を解決するため、この発明は、要するに、一連のスライドファスナによってカバー形態からランチョンマット形態に展開可能になるようにした。一連のスライドファスナのスライダを閉じ切り位置から開け切り位置へ進める、という一種の結着具の単純な動作だけでカバー形態からランチョンマット形態に変更可能である。スライドファスナなので、ランチョンマット形態からカバー形態への変更も、スライダを逆方向に進める点で違うだけであり、一種の結着具の単純な動作だけで済む。
【０００９】
ここで、カバー形態の綴じ合せ部の上側横行縁部同士を合せた一端部に、スライドファスナの閉じ切り位置を定め、この位置にあるスライダを底面部まで下降させ、更に当該底面部の周方向に沿って進めることによって、当該綴じ合せ部を水平に展開可能な状態になるようにしておけば、底面部がランチョンマット形態の中央部に配置されず、水平に展開された綴じ合せ部の片隅部のみと繋がるため、ランチョンマット形態で水平に広げたとき、底面部と綴じ合せ部を繋ぐ部分が立ち上がらず、ランチョンマットとして使用する際の支障にならない。
【００１０】
綴じ合せ部のうち、スライドファスナによって底面部との結着相手側になる下側横行縁部が、カバー形態の重心を前記一端部側へ修正するための凹曲線状に形成されていることが好ましい。底面部との結着相手側になる横行縁部を凹曲線状にしておけば、底面部を水平面に置いたとき、弁当箱カバー全体を傾けることに相当するので、重心を修正することができる。スライドファスナの縦行経路が横行他端側に偏って存在するため、この経路部分の目方がカバー形態の重心を横行他端側に寄せる原因になる。凹曲線状でカバー形態の重心を左右反対側へ修正しておけば、カバー形態で底面部を置いたとき、転倒を防止することができる。
【００１１】
前記のように重心を修正すれば、カバー形態における全高を綴じ合せ部の嵩で高くすることができる。このため、複数の弁当箱を縦に重ねて底面部に載せた状態で綴じ合せ部によって包み込むことも可能になる。複数の弁当箱からなるセットの場合、１個の弁当箱の場合よりも、個々の弁当箱の底面が小さくなる。弁当箱の底面を小さくすれば、綴じ合せ部と底面部の結着長も短くすることができる。スライダを底面部の周方向に沿って進める課程は、比較的直線に近い動かし方が可能な他の課程よりも動かし難いため、綴じ合せ部と底面部の結着長を短くすれば、弁当箱カバーの形態変更のための一連のスライダ動作をより容易にすることができる。底面部が小さくなっても、綴じ合せ部の嵩高化により、ランチョンマット形態で水平展開されたときの綴じ合せ部の面積が増え、カバー形態のときに包み込んでいた全ての弁当箱を載せることが可能である。
【００１２】
また、スライダを底面部の周方向に沿って進める部分のテープが円弧状に取り付けられていることが好ましい。複数の弁当箱からなるセットの場合、飯器とする弁当箱を含む。この飯器用の弁当箱は、内外二重の断熱容器からなるため、丸い底面及び側周をもつ。また、飯器用の弁当箱は、最も容量が大きく、重くなるため、携帯時には、底面部に直接に載せる最下の配置となる。カバー形態にした際、縦重ねのセットを安定させるため、綴じ合せ部と結着する底面部の非連設縁は、飯器用の弁当箱に沿った円弧状にすることが好ましい。円弧状の非連設縁をもつため、スライドファスナのテープを底面部に対して円弧状に取り付けることができる。その結果、スライダを底面部の周方向に沿って滑らかに動かし易くなる。
【００１３】
カバー形態での携帯性を良くするため、取っ手を綴じ合せ部に付けることが好ましい。ランチョンマット形態のとき、綴じ合せ部に付いた取っ手は邪魔になるので、取っ手は１本だけにすることが好ましい。１本の取っ手で済ます場合、カバー形態で綴じ合せ部及びスライドファスナを上方から跨ぐように取り付けることになる。閉じ切った位置のスライダ以上に前記一端部側のところへ取っ手の両端部を取り付けると、スライダ操作の際、取っ手が邪魔になることを防止できるが、取っ手を掴んで携帯すると、傾いて携帯することになる。取っ手の両端部を、スライドファスナに沿った方向に互い違いの位置に取り付ける場合、これらの取付位置は、前記閉じ切った位置にあるスライダをスライダ引手の持ち替えなく取っ手の下を潜らすことができるように設定可能である。この設定を採用すると、自ずと、スライドファスナを閉じ切った位置にあるスライダの近傍に取っ手の一端部を取り付け、取っ手の他端部を横行他端側に取り付けることになるので、携帯時の傾きを防止することもできる。
【００１４】
綴じ合せ部の内面には、筒状の箸ホルダーを取り付けることができる。筒一端が閉塞された箸ホルダーにすると、ゴミが箸ホルダーの閉塞端に溜まり易く、箸ホルダーの内側の清掃性も悪い箸ホルダーの筒両端が開放されていると、ゴミが溜まり難く、清掃性を良くすることができる。
【００１５】
綴じ合せ部及び底面部のうち、ランチョンマットに使用する裏地部分に撥水加工がなされていることが好ましい。食べ物、汁や飲料を落とした際、ランチョンマットを透過して卓上を汚さないようにすることができる。
【発明の効果】
【００１６】
上述のように、この発明は、弁当箱を載せる底面部と、この底面部に載せた前記弁当箱を包み込む綴じ合せ部とを有し、前記弁当箱を包み込んだカバー形態からランチョンマット形態に展開することができる弁当箱カバーにおいて、前記綴じ合せ部と前記底面部は、一連のスライドファスナによってカバー形態からランチョンマット形態に展開可能となっており、カバー形態の前記綴じ合せ部の上側横行縁部同士を合せた一端部に、前記スライドファスナの閉じ切り位置を定め、この位置にあるスライダを前記底面部まで下降させ、更に当該底面部の周方向に沿って進めることによって、当該綴じ合せ部を水平に展開可能な状態になる構成を採用したので、一種の結着具の単純な動作でカバー形態及びランチョンマット形態間に変更可能な弁当箱カバーにすることができる。
【図面の簡単な説明】
【００１７】
【図１】（ａ）は、この発明の実施形態に係る弁当箱カバーのカバー形態の正面図、（ｂ）は、この発明の実施形態に係る弁当箱カバーのランチョンマット形態の使用状態図
【図２】この発明の実施形態に係る弁当箱カバーのランチョンマット形態の平面図
【図３】図１（ａ）のＩＩＩ−ＩＩＩ線の拡大断面図
【図４】この発明の実施形態に係る弁当箱カバーのカバー形態の斜視図
【図５】図４の弁当箱カバーのスライダを進めてカバー形態をランチョンマット形態に変更する途中段階の斜視図
【図６】図５から更にスライダを進めた途中段階の斜視図
【図７】図６から更にスライダを進めてスライドファスナを開き切った段階の斜視図
【図８】この発明の実施形態に係る弁当箱カバーの取っ手の下にスライダを潜らす様子を示した斜視図
【発明を実施するための形態】
【００１８】
以下、この発明に係る実施形態を添付図面に基いて説明する。実施形態に係る弁当箱カバーは、図１（ａ）に示すように、この弁当箱カバーは、複数の弁当箱１〜３を収容したカバー形態から、図１（ｂ）に示すように、卓上で水平に広げて弁当箱１〜３を載せるランチョンマット状態に展開することができるものとなっている。
【００１９】
図１（ａ），（ｂ）に示すように、この弁当箱カバーは、弁当箱１〜３を載せる底面部１０と、底面部１０に載せた弁当箱１〜３を包み込む綴じ合せ部２０と、一連のスライドファスナ３０と、取っ手４０とからなる。この弁当箱カバーは、スライドファスナ３０によって、図１（ａ）に示すカバー形態から、図１（ｂ）に示すランチョンマット形態に展開可能となっている。
【００２０】
弁当箱１は、飯器用のもので、容器本体を内外二重の断熱容器とし、丸い底面及び側周をもったものとなっている。弁当箱２，３は、おかず入れとなっている。弁当箱１〜３の各外径は、略同径に統一されている。
【００２１】
綴じ合せ部２０の嵩及び側周は、弁当箱１〜３を縦に重ねて底面部１０に載せた状態で、これらの側周及び上方を取り囲むように包み込むことが可能な大きさをもっている。
【００２２】
スライドファスナ３０は、両側のテープ３１，３２と、スライダ３３とからなる。スライダ３３は、スライダ本体３４と、スライダ引手３５とからなる。スライドファスナ３０は、日本工業規格（ＪＩＳ  Ｓ  ３０１５：２００７）に規定のものとなっている。
【００２３】
図２に示すように、綴じ合せ部２０は、ランチョンマット形態のとき、略四角形の平面形状となるように設けられている。底面部１０は、ランチョンマット形態のとき、一箇所の隅部２１のみで綴じ合せ部２０と連なるように設けられ、非連設縁１１は、円弧状を成すように設けられている。底面部１０は、綴じ合せ部２０と別個に製造されている。
【００２４】
底面部１０及び綴じ合せ部２０のそれぞれは、表地と裏地で芯材を挟み、表地と裏地の合わせ目を隠す縁取りをした面部になっている。底面部１０の重ね代を綴じ合せ部２０に逢着することで底面部１０が綴じ合せ部２０に連設されている。テープ３１，３２は、図３に示すように、表地ａと縁取り地ｂの間に挟まれ、縁取り地ｂ，表地ａ，裏地ｃ，テープ３１，３２が一緒に逢着されている。
【００２５】
図１（ｂ），図２に示すように、両側のテープ３１，３２の一端３１ａ，３２ａは、綴じ合せ部２０の図中上側に位置した上側横行縁部２２のうち、左右幅中央近傍に位置している。上側横行縁部２２のうち、一端３１ａ，３２ａの間のところには、互いに同一平面形状をもった二隅部２３，２４同士が重なるように綴じ合せ部２０を折り畳み可能とするため、テープ３１，３２のない領域が設けられている。
【００２６】
スライドファスナ３０の閉じ切り位置は、スライダ３３をそれ以上閉じ側に進めることができない位置である。スライドファスナ３０の閉じ切り位置は、図１（ａ），図４に示すスライダ３３の位置から明らかなように、カバー形態の綴じ合せ部２０の上側横行縁部２２同士を合せた一端部に定められている。
【００２７】
図２に示すように、片側のテープ３１は、一端３１ａから上側横行縁部２２の図中左側に沿って進み、隅部２３に沿って図中下側に進路を大きく変え、綴じ合せ部２０の図中左側の縦行縁部２５に沿い、隅部２１と底面部１０を繋ぐ部分の図中左側に沿って底面部１０へ渡り、底面部１０の非連設縁１１に沿い、隅部２１と底面部１０を繋ぐ部分の図中右端に位置した他端３１ｂへ至るように取り付けられている。もう片側のテープ３２は、一端３２ａから上側横行縁部２２の図中右側に沿って進み、隅部２４に沿って図中下側に進路を大きく変え、綴じ合せ部２０の図中右側の縦行縁部２６に沿い、隅部２７で図中左側に大きく進路を変え、綴じ合せ部２０の図中下側の下側横行縁部２８に沿い、隅部２１と底面部１０を繋ぐ部分の図中右端に位置した他端３２ｂに至るように取り付けられている。したがって、閉じ切り位置にあるスライダ３３（図１（ａ），図４参照）を、図５〜図６に示すように、上側横行縁部２２と縦行縁部２５，２６を繋ぐ隅部２３，２４の方へ進め、更に、縦行縁部２５，２６に沿って進め、更に、縦行縁部２５，２６と下側横行縁部２８を繋ぐ隅部２１，２７に沿って底面部１０まで下降させ、更に、底面部１０の周方向に沿って進め、更に、図７に示す開き切り位置まで進めることによって、図２に示すように、綴じ合せ部２０を水平に展開可能な状態になる。図１（ｂ）に示すように、綴じ合せ部２０を水平に広げると、カバー状態で包み込む全ての弁当箱１〜３を綴じ合せ部２０に載せることができる。弁当箱１を載せ得る面積の底面部１０には、カップを載せるのに利用することができる。
【００２８】
綴じ合せ部２０及び底面部１０のうち、図１（ｂ）に示すように、ランチョンマットに使用する裏地ｃ部分は、撥水加工がなされている。裏地ｃに付いた汁気は、撥水加工により綴じ合せ部２０及び底面部１０内に浸透することができないため、卓上が汚れない。撥水加工として、例えば、生地の表面にフッ素樹脂を固着させる加工を採用することができる。浸透を防止するだけなら、防水加工を採用することもできる。ただし、防水加工は、生地の目を樹脂で完全に埋めるので、撥水加工よりも綴じ合せ部２０が強張り、丸い癖が付き易い。
【００２９】
カバー形態からランチョンマット形態に変更するスライダ３３の操作と逆操作でスライダ３３を進めると、ランチョンマット形態からカバー形態に変更することができる。すなわち、図２の開き切った位置にあるスライダ３３を、図６のように底面部１０の周方向に沿って進めるに連れて、綴じ合せ部２０が次第に巻かれていく。更にスライダ３３を隅部２１，２７、縦行縁部２５，２６に沿って上昇させると、綴じ合せ部２０で複数の弁当箱１〜３の側周を取り囲む。更に、スライダ３３を、最上の弁当箱３を超えた高さにある隅部２３，２４、上側横行縁部２２に沿って閉じ切り位置まで進めると、綴じ合せ部２０で最上の弁当箱３を上方から覆うことができる。これにより、複数の弁当箱１〜３を綴じ合せ部２０によって包み込むことができる。
【００３０】
図２に示すように、下側横行縁部２８は、凹曲線状に形成されている。仮に、綴じ合せ部２０のうち、スライドファスナ３０によって底面部１０の非連設縁１１との結着相手側になる下側横行縁部２８をカバー形態で水平面に沿った直線状になるように設けたとすると、テープ３１，３２部分の目方が縦行縁部２５，２６のある側で大きいため、弁当箱カバーの重心Ｇ´は、図１（ａ）中の左側へ偏った位置になる。下側横行縁部２８の凹曲線状は、カバー形態のとき、縦行縁部２５，２６に沿ったテープ３１，３２部分を含む鉛直面と交わるところに変極点をもつ略円弧状とされている。この弁当箱カバーを底面部１０で水平面上に立てたとき、下側横行縁部２８の凹曲線状により、全体が図中右側に傾くため、図１（ａ）中に示すように、弁当箱カバーの重心Ｇが左右略中央に位置するように修正される。このため、複数の弁当箱１〜３を包み込むことができる嵩の綴じ合せ部２０にしても、カバー形態時の転倒を防止することができる。
【００３１】
隅部２１，２３，２４，２７に沿ったテープ３１，３２部分は、スライダ３３の進行方向を左右方向及び上下方向間で円滑に変更することができるように適宜の曲線状に配置すればよい。上側横行縁部２２、縦行縁部２５，２６は、スライダ３３を速やかに動かし易くするため、なるべく直線状に配置すればよい。
【００３２】
底面部１０の非連設縁１１に沿うテープ３１部分は、スライダ３３を底面部１０の周方向に沿って円滑に動き易くするため、円弧状に取り付けることが好ましい。底面部１０の非連設縁１１の形状及び当該テープ３１部分は、例えば楕円状のように、非連設縁１１に沿ったテープ３１部分と、下側横行縁部２８に沿ったテープ３２部分とをスライダ３３で結着することが可能な限り、適宜の形状にすることができる。
【００３３】
図１（ａ），図４に示すように、取っ手４０は、カバー形態で綴じ合せ部２０及びスライドファスナ３０を上方から跨ぐように１本だけ綴じ合せ部２０に取り付けられている。取っ手４０のうち、スライダ引手３５よりも低くなり得る両端部４１，４２は、スライドファスナ３０に沿った方向に互い違いの位置にある。取っ手４０の一端部４１は、閉じ切った位置のスライダ引手３５とテープ３１，３２の幅方向に並び得る位置にある。取っ手４０の他端部４２は、綴じ合せ部２０の横行他端側であって隅部２３の近傍に位置している。図８に示すように、閉じ切った位置にあるスライダ３３のスライダ引手３５を摘み、スライダ３３を横行他端側へ進める際、取っ手４０に邪魔されることがないので、スライダ引手３５を持ち替えることなく、取っ手４０の下を潜らすことができる。また、取っ手４０でカバー形態の弁当箱カバーを持ち上げると、左右両側に分かれた両端部４０なので、携帯時の傾きを防止することもできる。また、図１（ｂ），図２に示すように、ランチョンマット形態に展開したとき、取っ手４０は横行縁部２２に沿って寝た状態にすることができるので、食事の邪魔にならない。
【００３４】
図１（ａ）に示すように、綴じ合せ部２０の内面には、箸５０を通す筒状の箸ホルダー５１が取り付けられている。この箸ホルダー５１は、折り重ねた生地を綴じ合せ部２０の裏地に逢着することで筒状に固定されている。図２，図６に示すように、箸ホルダー５１の筒両端が開放されているので、内側にゴミが溜まり難く、内側全体を洗ったり、拭ったりする清掃性に優れる。箸ホルダー５１は、縦行縁部２５に沿って設けられているので、筒両端を開放しても隅部２１，２７で箸５０を下から受けることができる。
【００３５】
上述のように、この弁当箱カバーは、図１（ａ），（ｂ）に示す一連のスライドファスナ３０のスライダ３３を閉じ切った位置と開き切った位置間で動かす、という一種の結着具の単純な動作だけで、カバー形態及びランチョンマット形態間に変更することができる。また、この弁当箱カバーは、カバー形態の綴じ合せ部２０の上側横行縁部２２同士を合せた一端部に、スライドファスナ３０の閉じ切り位置を定め、この閉じ切り位置にあるスライダ３３を、横行他端側へ底面部１０まで下降させ、更に底面部１０の周方向に沿って進めることによって、綴じ合せ部２０を水平に展開可能にしたので、図１（ｂ），図２に示すように、ランチョンマット形態で水平に広げたとき、底面部１０と綴じ合せ部２０を繋ぐ部分が立ち上がらず、ランチョンマットとして使用する際の支障にならない。この発明の技術的範囲は、上述の態様に限定されず、特許請求の範囲の記載に基く技術的思想の範囲内での全ての変更を含むものである。
【符号の説明】
【００３６】
１，２，３  弁当箱
１０  底面部
１１  非連設縁
２０  綴じ合せ部
２１，２３，２４，２７  隅部
２２  上側横行縁部
２５，２６  縦行縁部
２８  下側横行縁部
３０  スライドファスナ
３１，３２  テープ
３３  スライダ
３５  スライダ引手
４０  取っ手
４１  一端部
４２  他端部
５１  箸ホルダー
【図１】
0005844215.tif 000002
【図２】
0005844215.tif 000003
【図３】
0005844215.tif 000004
【図４】
0005844215.tif 000005
【図５】
0005844215.tif 000006
【図６】
0005844215.tif 000007
【図７】
0005844215.tif 000008
【図８】
0005844215.tif 000009